(57)【要約】【課題】包装した複数の商品を極めて合理的に展示し、これらの商品をそのまま持ち運ぶことができ、不正な開封を防止することが可能な展示袋兼用持運び袋を提供する。【解決手段】前側面１と後側面２と底部３とを有する合成樹脂製フィルムの袋体Ｐを設ける。前側面１の開口端部を内側に折り返して折り返し１Ａを形成する。後側面２の開口端部を内側に折り返して補強片２Ａを形成する。折り返し１Ａと補強片２Ａとの重合部分を接着する接着テープ６を配設する。後側面２の接着テープ６下近傍に把手用孔４を配置する。該把手用孔４から該補強片２Ａを貫通する補助孔５を開穿する。袋体Ｐの上部を切り離して開口せしめる切離部７を設ける。【選択図】  図３
0003183895.tif 000002
【実用新案登録請求の範囲】
【請求項１】
前側面と後側面と底部とを有する合成樹脂製フィルムの袋体で形成された展示袋兼用持運び袋において、前側面の開口端部を袋体の内側に折り返した折り返しと、後側面の開口端部を袋体の内側に折り返した補強片とを形成し、これら折り返しと補強片との重合部分を接着する接着テープを配し、後側面の接着テープ下近傍に配する把手用孔と、該把手用孔から該補強片を貫通する補助孔とを開穿して把手構造を設け、接着テープで接着された帯状部分を袋体の把手とし、把手用孔と補助孔とに挿入した手指が袋体の内部で接着された帯状部分を下から持ち上げるように構成し、把手用孔及び補助孔と接着テープで接着された帯状部分との間に、袋体の上部を切り離して開口せしめる切離部を設けたことを特徴とする展示袋兼用持運び袋。
【請求項２】
前記接着テープにて接着される前記折り返しと補強片との左右両端部に切欠部が形成され、該切欠部から前記接着テープの剥離紙を剥離するように構成した請求項１記載の展示袋兼用持運び袋。
【請求項３】
前記底部は前記揺動軸と前記後側面とから延長され、該底部の左右両端部に直角状の切欠部が形成され、該切欠部が広がることで底部が平面状に展開するように構成した請求項１記載の展示袋兼用持運び袋。
【考案の詳細な説明】
【技術分野】
【０００１】
本考案は、展示状態のまま持ち運ぶことができ、且つ、不正開封を防止することができる展示袋兼用持運び袋に関する。
【背景技術】
【０００２】
コンビニエンスストアーやスーパーマーケット等の展示棚に並べられる商品は、個々の商品が陳列されるだけではなく、例えば、シャンプーとリンスの如く、使用目的等が関連する商品をセットにして展示・販売することなども行われている。このような販売には、複数の商品をセットで包装して展示すると共に、購買者がこの包装のまま持ち運べるように、ＰＰ等の合成樹脂材で形成したケース状の包装体が使用されている。例えばコンビニエンスストアーの如く、収納スペースが限られている展示棚に商品を多数展示する場合、包装体に収納した状態で展示できる商品の数は、包装されていない商品を展示する数よりも少なくならざるを得ない。
【０００３】
この種の展示棚のスペースは、各販売店において極めて高い販売効率が追求されているため、この展示棚に展示される競合メーカーにとっては、限られたスペースに、できるだけ多くの自社商品を展示しようとする激戦スペースとして知られている。したがって、商品をセットで包装する包装体は持ち運びが便利になっていても、限られた展示スペース内で包装体の分だけ商品の展示数が減ってしまうことは、販売効率上、好ましいことではなかった。
【０００４】
そこで当出願人は、特許文献１を提案し、持ち運びが容易で、しかも商品を展示する際に嵩張らず、限られた展示スベース内でも、包装体のない商品と同じ数の商品を展示することが可能な展示袋兼用持運び袋を提案している。
【０００５】
すなわち、特許文献１の持運び袋によると、フィルム状の合成樹脂の袋体を使用しているので、商品を展示する際に、この袋体は商品の輪郭に沿って自由に変形する。この結果、スペースが限られている展示棚に、セットで包装した商品を展示した場合でも、この包装が展示の妨げにならずに済むようになった。
【０００６】
ところが、柔軟なフィルム状の袋体を持ち運ぶために、把手部分に被着する断面略Ｌ字形状の補強シートを別途設ける必要があるため、この補強シートがずれたり外れたりすると、柔軟なフィルム状の袋体は持ち難い状態になる。しかも、商品を収納した後で補強シートを装着する作業になるので、収納作業に多くの手間やコストを要する不都合もあった。
【０００７】
そこで、当考案者は、更に特許文献２を提案し、包装した複数の商品を極めて合理的に展示することが可能で、しかも、これらの商品をそのまま持ち運ぶことができ、広告媒体としても優れた展示効果を有する展示袋兼用持運び袋及びその製造方法を提案して特許を取得した。
【０００８】
この特許文献２によると、袋体Ｐの開口部にチャックを設け、筋状に固定されたチャックを袋体の把手とし、把手用孔と補助孔とに挿入した手指が袋体の内部で固定されたチャックを下から持ち上げるように構成したことにより、袋体の把手として十分に機能すると共に、極めてシンプルな構造であるから、製造コストを下げ、収納作業も容易に行えるという効果があった。
【先行技術文献】
【特許文献】
【０００９】
【特許文献１】実用新案登録第３１３５７２１号公報
【特許文献２】特許第４９７８８６５号公報
【考案の開示】
【考案が解決しようとする課題】
【００１０】
特許文献２に示される展示袋兼用持運び袋により、極めてシンプルな構造で合理的な展示効果と持ち運ぶ際の利便性を兼ね備えることに成功した。ところが、袋体の開口部に設けたチャックは、誰でも容易に開閉操作可能なため、販売中に不正な開封による不法行為が行われるおそれが生じた。
【００１１】
例えば、未購入の商品Ａの袋体のチャックを不正に開封した後、袋体の内部に別の商品Ｂを隠し、商品Ａの支払いだけで商品Ｂを運び出すなどの不法行為が行われ易いことが判明した。そこで、本考案は、これまで提案している特許文献１、２の構成に更に改良を加えることで、展示効果を維持しながら不正な開封を防止することが可能な展示袋兼用持運び袋の提供を目的とするものである。
【課題を解決するための手段】
【００１２】
本考案の第１の手段は、前側面１と後側面２と底部３とを有する合成樹脂製フィルムの袋体Ｐで形成された展示袋兼用持運び袋において、
前側面１の開口端部を袋体Ｐの内側に折り返した折り返し１Ａと、後側面２の開口端部を袋体Ｐの内側に折り返した補強片２Ａとを形成し、
これら折り返し１Ａと補強片２Ａとの重合部分を接着する接着テープ６を配し、
後側面２の接着テープ６下近傍に配する把手用孔４と、該把手用孔４から該補強片２Ａを貫通する補助孔５とを開穿して接着テープ６で接着された帯状部分を袋体Ｐの把手とし、把手用孔４と補助孔５とに挿入した手指が袋体Ｐの内部で接着された帯状部分を下から持ち上げるように構成し、
把手用孔４及び補助孔５と接着テープ６で接着された帯状部分との間に、袋体Ｐの上部を切り離して開口せしめる切離部７を設けたことにある。
【００１３】
第２の手段において、前記接着テープ６にて接着される前記折り返し１Ａと補強片２Ａとの左右両端部に切欠部８が形成され、該切欠部８から前記接着テープ６の剥離紙６Ａを剥離するように構成したものである。
【００１４】
第３の手段において、前記底部３は前記揺動軸１と前記後側面２とから延長され、該底部３の左右両端部に直角状の切欠部９が形成され、該切欠部９が広がることで底部３が平面状に展開するように構成したことにある。
【考案の効果】
【００１５】
本考案の請求項１の如く、これら折り返し１Ａと補強片２Ａとの重合部分を接着する接着テープ６を配し、後側面２の接着テープ６下近傍に配する把手用孔４と、該把手用孔４から該補強片２Ａを貫通する補助孔５とを開穿して接着テープ６で接着された帯状部分を袋体Ｐの把手とし、把手用孔４と補助孔５とに挿入した手指が袋体Ｐの内部で接着された帯状部分を下から持ち上げるように構成したことにより、開封前は接着テープ６にて接着した帯状部分が袋体Ｐの把手となり、搬送しやすいものになる。しかも、接着テープ６によって強力に接着された帯状部分により不正開封を防止することが可能になった。更に、把手用孔４及び補助孔５と接着テープ６で接着された帯状部分との間に、袋体Ｐの上部を切り離して開口せしめる切離部７を設けているので、消費者はこの切離部７を切り離すことで商品Ｓを簡単に取り出すことができる。
【００１６】
また、請求項２のように、前記接着テープ６にて接着される前記折り返し１Ａと補強片２Ａとの左右両端部に切欠部８が形成され、該切欠部８から前記接着テープ６の剥離紙６Ａを剥離するように構成したことで、袋体Ｐに収納物を収納した後、接着テープ６を接着する作業が極めて容易になり、収納作業性を高めることができる。
【００１７】
更に、請求項３のごとく、底部３の左右両端部に直角状の切欠部９を設けたことで、底部３の視認性が高まり、袋体の内部に別の商品Ｂを隠すことができない構造になっている。しかも、切欠部９が広がることで底部３が平面状に展開するように構成しているので、敢えて底マチを設けなくても平面状の底部３を構成することができる。したがって、袋体Ｐの製造コストを下げると共とに、収納時に底マチのような嵩張りがないので収納スペースも少なくなる。
【００１８】
また、商品Ｓを展示する際に、柔軟な合成樹脂製の袋体Ｐは商品Ｓの輪郭に沿って自由に変形するので、スペースが限られている展示棚に商品を展示した場合でも、この包装が展示の妨げにならずに済み、包装されない商品を展示できる数と変わらずに展示することができる。
【００１９】
このように本考案によると、包装した商品を合理的に展示することが可能で、しかも、これらの商品をそのまま持ち運ぶことができる展示袋兼用持運び袋において、不正な開封を防止することが可能になったものである。
【図面の簡単な説明】
【００２０】
【図１】本考案の一実施例を示す使用斜視図である。
【図２】本考案の使用状態を示す縦断面図である。
【図３】本考案袋体を示す背面図である。
【考案を実施するための形態】
【００２１】
本考案で使用する柔軟な合成樹脂製の袋体Ｐは、単品の商品Ｓやセットになった商品Ｓを収納し、展示棚に並べられ、購入時にそのまま持ち運ぶように設けたものである（図４参照）。袋体Ｐの材質として、例えば、厚さ0.03〜0.1mmのポリプロピレンフィルムに厚さ0.015 mmのナイロンフィルムがラミネートされたフィルム材にて形成された袋体を使用すると、少なくとも700ml入りのシャンプーとリンスとを２本セットにした程度の商品Ｓを持ち運ぶことが可能になる。また、このほか、袋体の材質として、OPPフィルムシート、CCPフィルム、PEフィルム、A-PETフィルム、PETフィルムシート、OPSフィルムなどの使用も可能である。また、収納する商品Ｓも、例えば缶ビール等の飲食物など、任意の商品を収納することができる。
【００２２】
袋体Ｐは、前側面１と後側面２と底部３とが形成されている（図２参照）。この底部３は、揺動軸１と後側面２とから延長されている。そして、この底部３の左右両端部に直角状の切欠部９を形成し、この切欠部９が広がることで底部３が平面状に展開するものである。
【００２３】
前側面１の開口端部を袋体Ｐの内側に折り返して折り返し１Ａを形成する。更に、後側面２の開口端部を袋体Ｐの内側に折り返して補強片２Ａを形成する。これら折り返し１Ａと補強片２Ａとにより、袋体Ｐの開口部が強化されている。更に、これら折り返し１Ａと補強片２Ａとの重合部分に接着テープ６を配し、袋体Ｐに商品Ｓ収納後、この接着テープ６にて開口部を帯状に接着する。そのため、接着テープ６には予め剥離紙６Ａが貼り付けられており、商品Ｓ収納後、この剥離紙６Ａを剥がして接着する。この際、袋の内側に配置した接着テープ６から剥離紙６Ａを外す作業が困難な作業になる。そのため、接着テープ６にて接着される折り返し１Ａと補強片２Ａとの左右両端部に切欠部８を形成し、接着テープ６の両端部が袋体Ｐの外に表出するように構成している。このようにすると、切欠部８から接着テープ６から剥離紙６Ａを剥離する作業が頗る簡略化されるものである。
【００２４】
一方、後側面２の接着テープ６下近傍に把手用孔４を開穿する。更に、この把手用孔４から補強片２Ａを貫通する補助孔５を開穿する。そして、把手用孔４と補助孔５とに挿入した手指が袋体Ｐの内部で接着された帯状部分を下から持ち上げるように構成している。すなわち、この把手構造では、接着テープ６で接着された帯状部分を袋体Ｐの把手とするものである。
【００２５】
切離部７は、袋体Ｐから商品Ｓを取り出す際に、袋体Ｐの上部を切り離して開口せしめる部位である。この切離部７は、把手用孔４及び補助孔５と接着テープ６で接着された帯状部分との間に設けている。図示例では、前側面１から折り返し１Ａを貫通し、あるいは後側面２から補強片２Ａを貫通する微細な多数の孔で直線状の切離部７を形成したものである。袋体Ｐの開口部は、接着テープ６が強力に接着されており、しかも、前側面１と折り返し１Ａ、後側面２と補強片２Ａにより多層構造になっているが、この切離部７に沿って袋体Ｐの開口部を容易に切り離すことができる。
【００２６】
尚、図示例の各構成は、本考案の一実施例に過ぎず、たとえば袋体Ｐの形状や前側面１の広告宣伝用印刷の有無、合成樹脂製フィルムの材質の変更、後側面２の把手用孔４の数やサイズ、補強片２Ａの補助孔５の形状や位置、接着テープ６の位置や幅の変更など、収納する商品Ｓの形態に応じて自由に選択できるものであり、本考案の要旨を変更しない範囲において自由に選択することができる。
【符号の説明】
【００２７】
Ｓ  商品
Ｐ  袋体
１  前側面
１Ａ  折り返し
２  後側面
２Ａ  補強片
３  底部
４  把手用孔
５  補助孔
６  接着テープ
６Ａ  剥離紙
７  切離部
８  切欠部
９  切欠部
【図１】
0003183895.tif 000003
【図２】
0003183895.tif 000004
【図３】
0003183895.tif 000005